(57)【要約】      （修正有）【課題】サイズが小さく、安定した操作感が得られるカッターナイフ用のスライダーを提供すること。【解決手段】ブレードの後端部に連係する突起を有しカッターナイフのホルダーの内部空間に配置されるボディ1と、このボディ1に進退移動可能に組み合わさりホルダーhの連係凹部h1に適合するストッパー3を解除しつつ該ボディ1をカッターナイフのホルダーhに沿わせて前方又は後方に移動させることによりブレードの出し入れを行う操作ボタン2との組合せからなるカッターナイフのスライダーにおいて、前記ストッパー3を、前記ボディ1と操作ボタン2との挟持によって位置決めされるベース片と、このベース片の各端部に片持ち状態でそれぞれつながり該各端部を基点に弾性変位可能な一対の舌片にて構成する。【選択図】図１
2008142383.tif 000002
【特許請求の範囲】
【請求項１】
ブレードの後端部に連係する突起を有しカッターナイフのホルダーの内部空間に配置されるボディと、このボディに進退移動可能に組み合わさりホルダーの連係凹部に適合するストッパーを解除しつつ該ボディをカッターナイフのホルダーに沿わせて前方又は後方に移動させることによりブレードの出し入れを行う操作ボタンとの組合せからなるカッターナイフのスライダーであって、
前記ストッパーは、前記ボディと操作ボタンとの挟持によって位置決めされるベース片と、このベース片の各端部に片持ち状態でそれぞれつながり該各端部を基点に弾性変位可能な一対の舌片からなり、
該各舌片は、ベース片の各端部を基点に相互に近接する向きに傾倒し先端部で最も狭い配置間隔になる本体部分と、この本体部分の先端部に位置してホルダーの連係凹部にそれぞれ適合してボディの前方又は後方への移動を阻止する係止ヘッドからなり、
前記操作ボタンに、ボディにおける進退移動に際して前記舌片の何れか一方の本体部分を押圧して係止ヘッドをホルダーの連係凹部から脱出させてボディのホルダーに沿う移動を可能とする突部を設けた、ことを特徴とするカッターナイフのスライダー。
【発明の詳細な説明】
【技術分野】
【０００１】
本発明は、カッターナイフのスライダーに関するものであり、スライダーを構成する部材の相互間で生じるガタツキをなくして安定した操作感を得るとともに該スライダーのサイズをより一層小型化しようとするものである。
【背景技術】
【０００２】
カッターナイフのスライダーは、ブレード（刃体）の後端部に連係する突起を有しホルダーの内部空間に配置されるボディと、このボディの外表面に進退移動可能に組み合わさる操作ボタンと、該ボディ及び操作ボタンの相互間にて挟持されホルダーの縁部に形成された連係凹部に適合させてスライダーの位置決めを行うストッパーにて構成されており、ブレードは、操作ボタンをボディにおいて極僅かに移動させてストッパーを解除し、その状態を維持したままでボディをホルダーの長手方向に沿わせて前方又は後方に移動させることにより出し入れするようになっている（例えば、特許文献1参照）。
【特許文献１】特許第3611391号公報
【０００３】
ところで、従来のこの種のスライダーは、ストッパーの構成部材として略Ｖ字状をなす板ばねが装着されていることからその大型化（長大化）が避けられない状況にあった。ここに、板ばねの先端部はホルダーに設けられた連係凹部の2箇所で適合するので、スライダーが大きくなると、ホルダーもそれに合わせて大きく（長大化）せざるを得ず（カッターナイフ自体が大型化してしまう）、しかも、スライダーの、ホルダーにおける移動範囲が狭められるため、とくに折刃タイプのブレードにおいては最後まで有効に使用することができない不具合があった。
【０００４】
また、従来のスライダーは、ボディと操作ボタンが、それらの中央部で単一の係合部材で連結されていることから操作ボタンの両端がまくれてしまうおそれがあり、さらにはブレードの出し入れを行う際に操作ボタンにガタツキが生じて操作感が不安定になることを余儀なくされていた。
【０００５】
操作ボタンにおけるガタツキをなくし操作感を安定化するにはボディと操作ボタンとを少なくとも2箇所で連結する係合部材を設けるのが有効であるが、上記のようなストッパーを備えたスライダーではさらに大型化するのが避けられず有効な手段を模索しているのが現状であった。
【発明の開示】
【発明が解決しようとする課題】
【０００６】
本発明の課題は、サイズの小型化を図るとともに安定した操作感を得ることができる新規なスライダーを提案するところにある。
【課題を解決するための手段】
【０００７】
本発明は、ブレードの後端部に連係する突起を有しカッターナイフのホルダーの内部空間に配置されるボディと、このボディに進退移動可能に組み合わさりホルダーの連係凹部に適合するストッパーを解除しつつ該ボディをカッターナイフのホルダーに沿わせて前方又は後方に移動させることによりブレードの出し入れを行う操作ボタンとの組合せからなるカッターナイフのスライダーであって、
前記ストッパーは、前記ボディと操作ボタンとの挟持によって位置決めされるベース片と、このベース片の各端部に片持ち状態でそれぞれつながり該各端部を基点に弾性変位可能な一対の舌片からなり、
該各舌片は、ベース片の各端部を基点に相互に近接する向きに傾倒し先端部で最も狭い配置間隔になる本体部分と、この本体部分の先端部に位置してホルダーの連係凹部にそれぞれ適合してボディの前方又は後方への移動を阻止する係止ヘッドからなり、
前記操作ボタンに、ボディにおける進退移動に際して前記舌片の何れか一方の本体部分を押圧して係止ヘッドをホルダーの連係凹部から脱出させてボディのホルダーに沿う移動を可能とする突部を設けた、ことを特徴とするカッターナイフのスライダーである。
【発明の効果】
【０００８】
ストッパーを、平坦で短尺なベース片と、このベース片の各端部に片持ち状態でつながり、相互に近接する向きに傾倒する舌片（ハの字状の舌片）とにて構成したため、従来のようなＶ字状をなすストッパーに比較してその長さを著しく短縮することができるので小型化が可能であり、また、ボディと操作ボタンを2箇所において連結するスペースも確保することができるため、安定した操作感が得られる。
【発明を実施するための最良の形態】
【０００９】
以下、図面を用いて本発明をより具体的に説明する。
図１は本発明にしたがうカッターナイフのスライダーの実施の形態をその外観斜視図について示したものであり、図2はその分解状態を示したものである。また、図3はカッターナイフの全体構成を示した図であり、図4はホルダーの外観を示した図である。
【００１０】
図1〜4において、1はC型断面をなすホルダーhの内部空間に配置されるボディである（図1、2参照）。このボディ1はその先端にブレードの開孔に連係する突起1aを有しており、操作ボタン（後述する）との合わせ面には図2に示すように、ストッパー（後述する）を配置する座部1bと、保持プレート1cと、間隔をおいて設けられた貫通孔1d、1eと、この貫通孔1d、1eを部分的に取り囲むように配置されガイドとしての機能を有するC型形状の枠体1f、1gが設けられている。
【００１１】
また、2は操作ボタンである。この操作ボタン2はボディ1との合わせ面に2つの係合部材2a、2bが設けられており（図1参照）、係合部材2a、2bの先端をボディ1の貫通孔1d、1eに差し込むことで該ボディ1と操作ボタン2が相互に連結されており、枠体1f、1gをガイドにして貫通孔1d、1eの開孔幅の範囲内で操作ボタン2をボディ1において進退移動させることができるようになっている。
【００１２】
3はボディ1の座部1b及び保持プレート1cにおいて配置され、板ばねとして機能するストッパーである（図2参照）。このストッパー3はボディ1と操作ボタン2とによって挟持、位置決めされるベース片3aと、このベース片3aの各端部3a1、3a2に片持ち状態でそれぞれつながり該各端部3a1、3a2を基点に弾性変位させることができる一対の舌片3b、3cからなっている。
【００１３】
舌片3b、3cは、ベース片3aの各端部3a1、3a2を起点に相互に近接する向きに倒れ込み先端で最も狭い配置間隔になる本体部分3b1、3c1と、この本体部分3b1、3c1  の先端部に位置してホルダーhの連係凹部h１にそれぞれ適合してボディ1の前方又は後方への移動を阻止する「へ」の字状の例で示した係止ヘッド3b1′、3c1′を有している（形状は「ヘ」の字状に限定はされない）。
【００１４】
さらに、4a、4bは操作ボタン2の裏面に一体的に設けられ、舌片3b、3cの本体部分3b1、3c1に隣接配置された突部である（図1参照）。この突部4a、4bは、操作ボタン2をボディ1において進退移動させることで舌片3b、3cの一方を押圧して係止ヘッド3b1′、3c1′をホルダーhの連係凹部h１から脱出させるもので、これによりボディ1を操作ボタン2とともにホルダーhに沿って移動させることが可能となる。
【００１５】
上記の構成になるスライダーにおいて、例えば操作ボタン2（図示せず）を図5の左方向へ移動させると、該操作ボタン2の裏面の突部4bが舌片3cを押圧し（図中矢印A）てホルダーhの連係凹部h１から係止ヘッド3c1′が脱出することとなり（係止ヘッド3b1′は本体部分3b1の弾性変位する）、これによりスライダーがホルダーhの前方へと移動可能となり（ブレードがホルダーから押し出される）一方、操作ボタン2を図3の右方向へ移動させると、該操作ボタンの裏面の突部4aが舌片3bを押圧し（図中矢印B）てホルダーhの連係凹部h1 から係止ヘッド3b1′が脱出することになり、これによりスライダーがホルダーhの後方への移動が可能となる（ブレードがホルダーへ引き込まれる）。
【００１６】
図6は従来のカッターナイフのスライダーの側面を示したものである。従来のスライダーは、図6に示す如く、略Ｖ字状をなす板ばね5が組み込まれており、その長さLが長いため、スライダーの長さもそれに合わせて長くせざるを得なかったが、本発明にしたがうスライダーは、ストッパー3の舌片3b、3cはベース片3aの各端部3a1、3a2  を起点に相互に近接する向きに倒れ込んでおり先端で最も狭い配置間隔になっているので、長さLを短縮することができ、その分、スライダーの長さも短くなり、しかも、操作ボタン2を2つの係合部材2a、2bで支えることができるので、該操作ボタン2がボディ1においてガタツクことがない。
【００１７】
図7は本発明に従うスライダーの他の実施の形態を示したものである。本発明にしたがうスライダーにおいてホルダーhの連係凹部h1の形状は適宜変更することが可能であり、舌片3b、3cの係止ヘッド3b1′、3c1′は互いに隣接した連係凹部h1に適合させてもよいし図5に示した如く間隔を開けて適合させてもよく、この点については特に限定されない。
【００１８】
ストッパー3は組み込み状態において操作ボタン2と接触させておくことができるが、ストッパー3を操作ボタン2に接触させない組み込み構造とすることもできる。また、ストッパー3のベース片3aはスライダーの内部に配置した場合について例示したが、該ベース片3aはスライダーから露出してホルダーhに接触していてもよい。
【００１９】
さらに、本発明にしたがうスライダーは、そのサイズを小さくできることから、ホルダーhに形成する連係凹部h1を形成する範囲が短くでき（カッターナイフの長さの短縮化が可能）、連携凹部h1の形成する範囲が短い分だけ金型の加工が少なくてすむのでデザイン的にもすっきりしたものとなる。
【００２０】
ストッパー3については屈曲させる箇所が従来の板ばねと比較して少なくてすむ他、ストッパー3の抜きバリ方向を全て内側1方向にできるとともに、係止ヘッド3b1′、3c1′が近接しているので短いピッチでホルダーhの連係凹部h1に適合させることができるため組み込み精度が向上して安定した操作感が得られる。
【産業上の利用可能性】
【００２１】
サイズの小型化が可能であり、操作感の安定したスライダーが提供できる。
【図面の簡単な説明】
【００２２】
【図１】本発明にしたがうカッターナイフのスライダーの外観斜視図である。
【図２】図1のスライダーの分解状態を示した図である。
【図３】カッターナイフの全体の外観を示した図である。
【図４】ホルダーの外観を示した図である。
【図５】図1に示したスライダーの作動要領の説明図である。
【図６】従来のスライダーの側面を模式的に示した図である。
【図７】本発明の他の実施形態を示した図である。
【符号の説明】
【００２３】
1  ボディ
1a  突起
1b  座部
1c  保持プレート
1d  貫通孔
1e  貫通孔
1f  枠体
1g  枠体
2  操作ボタン
2a  係合部材
2b  係合部材
3  ストッパー
3a  ベース片
3b  舌片
3c  舌片
4a  突部
4b  突部
5  略Ｖ字状をなす板ばね
【図１】
2008142383.tif 000003
【図２】
2008142383.tif 000004
【図３】
2008142383.tif 000005
【図４】
2008142383.tif 000006
【図５】
2008142383.tif 000007
【図６】
2008142383.tif 000008
【図７】
2008142383.tif 000009